(57)【要約】      （修正有）【課題】簡易な構造であって簡単に使用することのできる棒金開封器具を提供する。【解決手段】棒金開封器具１０は、第一半筒体２０ａと、第一半筒体２０ａと合体して中空筒体を構成する第二半筒体２０ｂと、第一半筒体２０ａと第二半筒体２０ｂを、合体して閉じた状態と開いた状態とで開閉自在に連結する開閉連結具３５と、第一半筒体２０ａの内側に棒金２の全長よりも僅かに短い間隔で対向設置された一対の第一切断刃２５ａと、第二半筒体２０ｂの内側に棒金２の全長よりも僅かに短い間隔で対向設置された一対の第二切断刃２５ｂと、を備え、第一半筒体２０ａ又は第二半筒体２０ｂの内側に棒金２をセットした状態で、第一半筒体２０ａと第二半筒体２０ｂとを閉じることで、第一切断刃２５ａ及び第二切断刃２５ｂにより棒金２の包装の両端の耳を切断するように構成されている。【選択図】図１
0003214131.tif 000002
【実用新案登録請求の範囲】
【請求項１】
棒金の包装を開封するための棒金開封器具において、
第一半筒体と、
前記第一半筒体と合体して中空筒体を構成する第二半筒体と、
前記第一半筒体と前記第二半筒体を、合体して閉じた状態と開いた状態とで開閉自在に連結する開閉連結具と、
前記第一半筒体の内側に前記棒金の全長よりも僅かに短い間隔で対向設置された一対の第一切断刃と、
前記第二半筒体の内側に前記棒金の全長よりも僅かに短い間隔で対向設置された一対の第二切断刃と、
を備え、前記第一半筒体又は前記第二半筒体の内側に前記棒金をセットした状態で、前記第一半筒体と前記第二半筒体とを閉じることで、前記第一切断刃及び第二切断刃により前記棒金の包装の両端の耳を切断するように構成されていることを特徴とする棒金開封金具。
【請求項２】
前記棒金の全長と略同じ間隔で、一対の前記第一切断刃を挟んで前記第一半筒体の内側に設置された一対の案内部材であって、一対の前記案内部材の間に前記棒金が嵌まった状態では、前記棒金の前記耳が前記第一切断刃の所に位置するように構成された一対の案内部材をさらに備えることを特徴とする請求項１記載の棒金開封器具。
【請求項３】
前記第一切断刃は、前記第一半筒体に対して着脱可能に設置され、前記第二切断刃は、前記第二半筒体に対して着脱可能に設置されていることを特徴とする請求項１又は２記載の棒金開封器具。
【請求項４】
前記第一半筒体及び前記第二半筒体の側縁には指挿通用切欠が形成されており、前記第一半筒体と前記第二半筒体とを合体させたときに、一対の前記指挿通切欠が合体して指挿通用穴が形成されることを特徴とする請求項１乃至３記載の棒金開封器具。
【考案の詳細な説明】
【技術分野】
【０００１】
本考案は、棒状の棒金（包装硬貨）の包装を破って開封するための棒金開封器具に関する。
【背景技術】
【０００２】
銀行から小売店等に多数の硬貨を提供する場合、所定の枚数積層した硬貨を樹脂製シートで包装した棒金の形態で提供されている。このような棒金の包装を開封する器具としては、下記特許文献１，２に開示されたものが知られている。
【先行技術文献】
【特許文献】
【０００３】
【特許文献１】特開平８−３２４５２６号公報
【特許文献２】特開平８−２０７９１２号公報
【考案の概要】
【考案が解決しようとする課題】
【０００４】
しかし、上記特許文献１に開示されたものは、大型の装置であり、導入するためには非常にコストがかかってしまう。また、上記特許文献２に開示されたものは、小型の器具であるが、使用者がカッターを別途使って包装を破る必要があり、開封作業の手間がかかる。
【０００５】
本考案は、上記課題を解決するためになされたものであり、簡易な構造であって簡単に使用することのできる棒金開封器具を提供することを目的とする。
【課題を解決するための手段】
【０００６】
上記課題を解決するために、本考案に係る棒金開封器具は、棒金の包装を開封するための棒金開封器具において、第一半筒体と、前記第一半筒体と合体して中空筒体を構成する第二半筒体と、前記第一半筒体と前記第二半筒体を、合体して閉じた状態と開いた状態とで開閉自在に連結する開閉連結具と、前記第一半筒体の内側に前記棒金の全長よりも僅かに短い間隔で対向設置された一対の第一切断刃と、前記第二半筒体の内側に前記棒金の全長よりも僅かに短い間隔で対向設置された一対の第二切断刃と、を備え、前記第一半筒体又は前記第二半筒体の内側に前記棒金をセットした状態で、前記第一半筒体と前記第二半筒体とを閉じることで、前記第一切断刃及び第二切断刃により前記棒金の包装の両端の耳を切断するように構成されていることを特徴とする。
【考案の効果】
【０００７】
本考案に係る棒金開封器具によれば、簡易な構造で容易に棒金の包装を開封することができる。
【図面の簡単な説明】
【０００８】
【図１】図１は、本考案の実施形態に係る棒金開封器具の開いた状態の斜視図である。
【図２】図２は、本考案の実施形態に係る棒金開封器具の閉じた状態の斜視図である。
【図３】図３は、本考案の実施形態に係る棒金開封器具の閉じた状態の側面図である。
【図４】図４は、本考案の実施形態に係る切断刃の構成を示す図である。
【図５】図５は、本考案の実施形態に係る棒金開封器具の使用方法を説明するための側面図である。
【図６】図６は、本考案の実施形態に係る棒金開封器具の使用方法を説明するための断面図である。
【図７】図７は、本考案の実施形態の変形例に係る棒金開封器具の閉じた状態の斜視図である。
【考案を実施するための形態】
【０００９】
以下、図面を参照しながら、本考案の実施形態について詳細に説明する。図１は、本実施形態に係る棒金開封器具の開いた状態の斜視図である。図２は、本実施形態に係る棒金開封器具の閉じた状態の斜視図である。図３は、本実施形態に係る棒金開封器具の閉じた状態の側面図である。図４は、本実施形態に係る切断刃の構成を示す図であり、図４（Ａ）は正面図、図４（Ｂ）は側面図である。
【００１０】
本実施形態に係る棒金開封器具１０は、積層した50枚の硬貨をビニルフィルムで巻いて棒状に包装した棒金（包装硬貨）の包装を破って硬貨をバラバラにするための器具である。
【００１１】
棒金開封器具１０は、全体として中空筒形状であり、一対の半筒体２０と、切断刃２５と、ガイドピン３０と、開閉連結金具３５とを備えている。半筒体２０は、内面が半円柱形状、外面が半八角柱形状の合成樹脂製の部材である。一対の第一半筒体２０ａと第二半筒体２０ｂとを、内側を向かい合わせた状態で合体させると、内側に円柱形状の中空が形成された、外面が八角柱形状の中空筒体となる。
【００１２】
開閉連結金具３５は、第一羽根３６と、第二羽根３７と、第一羽根３６と第二羽根３７とを回動自在に連結する蝶番軸３８とを備える蝶番であり、第一半筒体２０ａと第二半筒体２０ｂとは、その長手方向である筒軸方向の軸を回動軸（蝶番軸３８）として、開閉連結金具３５により開閉自在に連結されている。
【００１３】
開閉連結金具３５は、一方の第一羽根３６が第一半筒体２０ａの側縁外面にネジ留め固定され、他方の第二羽根３７が第二半筒体２０ｂの側縁外面にネジ留め固定されている。これにより、一対の半筒体２０は、蝶番軸３８回りに0°に閉じて筒体として合体した状態と、180°に開いた状態との間で開閉自在である。
【００１４】
半筒体２０の側縁の長手方向中央には、半円状の指挿通用切欠２３が形成されており、棒金２の開封後、0°に閉じた状態の棒金開封器具１０を開く際に、合体して指挿通用の円形穴となっているこの指挿通用切欠２３に指を入れることで、容易に開くことができる。
【００１５】
図４に示すように、切断刃２５は、長板状の刃物であり、長手方向に延在する側縁の一方に片刃が形成されている。切断刃２５の長手方向両端部付近には、切断刃２５を半筒体２０に固定するための固定穴２６が形成されている。
【００１６】
切断刃２５は、各半筒体２０の筒軸方向のそれぞれの端から所定の距離内側に入った位置に設置される。両端部付近にそれぞれ設置される2つの切断刃２５の間隔は、後述する棒金２の両端に形成された耳４ａを切断するように、棒金２の全長よりも僅かに短くなるように設定されている。
【００１７】
また、各半筒体２０に設置される一対の切断刃２５は、片刃のテーパ面が内側に位置して向かい合うように設置されている。半筒体２０の内側内面には、筒軸方向の切断刃２５が設置される位置に、筒軸方向に鉛直な切断刃設置溝２１が形成されており、切断刃２５は切断刃設置溝２１内に挿入されて設置されている。
【００１８】
また、半筒体２０の筒軸方向両端の端面には、切断刃設置溝２１まで貫通する切断刃固定用のネジ穴２２が形成されている。上記切断刃２５の固定穴２６は、切断刃２５が切断刃設置溝２１に挿入された状態で、このネジ穴２２に対向する位置に形成されている。
【００１９】
よって、切断刃２５を切断刃設置溝２１に挿入した状態で、固定用長ネジ２８を先端が固定穴２５ａに到達するまでネジ穴２２内に挿入することで、切断刃２５をしっかりと固定することができる。また、固定用長ネジ２８を外すことで、切断刃２５を容易に着脱可能であり、適宜交換することができる。
【００２０】
案内部材として機能するガイドピン３０は、金属製の棒であり、半筒体２０の内面の周方向中心の最も深い位置から内側に突出するように、切断刃２５の筒軸方向外側傍に設置されており、その先端は切断刃２５の刃先よりも僅かに突出している。
【００２１】
一対のガイドピン３０の間隔は、耳４ａを含む棒金の全長と略同じであり、筒軸方向において一対の切断刃２５を挟んで設置されている。一対のガイドピン３０の間に棒金２が嵌まった状態では、棒金２の耳４ａが丁度切断刃２５の所に位置するように構成されている。
【００２２】
ガイドピン３０は、その先端部付近において、先に向かうに従って徐々に細くなるテーパ部３１が形成されている。後述するように、棒金を棒金開封器具１０に設置する際には、このガイドピン３０のテーパ部３１により棒金の両端部が丁度切断刃２５の刃先のところに位置するように案内される。
【００２３】
切断刃２５の刃先及びガイドピン３０の先端は、筒軸方向に垂直な断面において、半筒体２０の内側から突出しない高さに設定されており、一対の半筒体２０を閉じる際に、第一半筒体２０ａに設置された切断刃２５及びガイドピン３０と、第二半筒体２０ｂに設置された切断刃２５及びガイドピン３０とは衝突しない。
【００２４】
以上、棒金開封器具１０の構成について説明したが、続いて、棒金開封器具１０の使用方法について説明する。図５は、本実施形態に係る棒金開封器具の使用方法を説明するための側面図であり、図５（Ａ）は180°に開いた状態、図５（Ｂ）は約45°に閉じた状態を示している。図６は、本実施形態に係る棒金開封器具の使用方法を説明するための断面図である。
【００２５】
棒金２は、積層した50枚の硬貨３をビニルフィルム４で包んで包装した構造であり、積層された硬貨３の両端部には、ビニルフィルム４を巻き込んでカールした耳４ａが形成されている。耳４ａは積層された硬貨３の両端よりも外側に僅かに突出しており、この耳４ａを切断することで、ビニルフィルム４は容易に剥がすことが可能となり、棒金２を開封することができる。
【００２６】
棒金開封器具１０を使って棒金２を開封する際には、まず、棒金開封器具１０の一対の半筒体２０を180°に開いた状態にする。続いて、図５（Ａ）に示すように、一方の半筒体２０の内側に棒金２を載置してセットする。
【００２７】
棒金２の載置にあたっては、半筒体２０の内側に対向して設置された一対の切断刃２５の間に棒金２が位置し、棒金２の耳４ａが丁度切断刃２５の上方に位置するように載置する。ここでは、棒金２は、第一半筒体２０ａの内側に設置されている。
【００２８】
上述したように、一対の切断刃２５ａの外側には、これらを挟むように一対のガイドピン３０が設置されており、載置される棒金２の位置が筒軸方向に多少ずれていても、ガイドピン３０のテーパ部３１によって、棒金２が一対のガイドピン３０の間に丁度嵌まり、耳４ａが第一半筒体２０ａの第一切断刃２５ａの刃先に丁度位置するように案内される。
【００２９】
続いて、図５（Ａ）の載置状態から第二半筒体２０ｂを閉じる方向に動かす。図５（Ｂ）に示すように、第二半筒体２０ｂが所定の角度（本実施形態では、約45°）まで閉じると、第二半筒体２０ｂの第二切断刃２５ｂの刃先が、棒金２のビニルフィルム４の耳４ａに接触する。
【００３０】
この状態から第一半筒体２０ａと第二半筒体２０ｂとを手で握るなどして力を加えながら閉じる方向に動かすことで、第一切断刃２５ａと第二切断刃２５ｂとにより、耳４ａが両側から切断される。さらに、図６に示すように、第一半筒体２０ａと第二半筒体２０ｂとを0°付近まで閉じることで、棒金２の積層された硬貨３の両端から飛び出した耳４ａの大部分が破られる。
【００３１】
この後、第一半筒体２０ａと第二半筒体２０ｂとを開いて棒金２を取り出すと、ビニルフィルム４の耳４ａが破れているので、このビニルフィルム４の破れた部分を長手方向に引っ張るなどすることで、硬貨３からビニルフィルム４全体を容易に取り除くことができる。
【００３２】
以上、本実施形態によれば、簡易な構造の棒金開封器具１０で棒金２のビニルフィルム４を確実に容易に破って開封することができる。また、小型の棒金開封器具１０であれば、片手で切断作業を行うこともできる。
【００３３】
また、本実施形態では、ビニルフィルム４の切断場所である耳４ａがちょうど切断刃２５のところに位置するように案内するガイドピン３０が設置されているため、使用者は、正確な位置に棒金２を置かなくても、大まかな位置に置くだけで、棒金２を棒金開封器具１０に確実に正しくセットすることができる。
【００３４】
続いて、本実施形態の変形例について説明する。図７は、本実施形態の変形例に係る棒金開封器具の閉じた状態の斜視図である。上記実施形態では、一対の半筒体２０を開閉可能に連結する開閉連結具として開閉連結金具（蝶番）３５を採用しているが、本変形例では、開閉連結具として、開閉連結テープ４０を採用している。
【００３５】
開閉連結テープ４０は、第一半筒体２０ａ及び第二半筒体２０ｂの外面に貼り付けられており、第一半筒体２０ａと第二半筒体２０ｂとを上記実施形態と同様に開閉自在に連結する。本変形例によれば、上記実施形態と同様の作用効果を奏すると共に、さらに棒金開封器具１０’の構造を簡素化することが可能である。
【００３６】
以上、変形例も含めて本考案の実施形態について詳細に説明したが、本考案は上記実施形態に限定されるものではなく、本考案の主旨を逸脱しない範囲内で種々の変形が可能である。例えば、棒金開封器具を構成する部材の形状やサイズ、素材等は適宜変更可能である。
【００３７】
上記実施形態では、一対の半筒体からなる筒体の内面を円柱形状、外面を八角柱形状としたが、内面と外面の双方を円柱形状又は角柱形状としても良いし、内面を角柱形状、外面を円柱形状としても良く、適宜変更可能である。
【００３８】
また、上記実施形態では、案内部材として棒状のガイドピンを採用しているが、棒状に限らず、棒金を適切な位置に案内できる形状の部材であれば、適宜他の形状の部材を案内部材として採用することができる。
【符号の説明】
【００３９】
１０  棒金開封器具
２０  半筒体
２１  切断刃設置溝
２２  ネジ穴
２３  指挿通用切欠
２５  切断刃
２６  固定穴
２８  固定用長ネジ
３０  ガイドピン
３１  テーパ部
３５  開閉連結金具
３６  第一羽根
３７  第二羽根
３８  蝶番軸
４０  開閉連結テープ
２    棒金
３    硬貨
４    ビニルフィルム
４ａ  耳
【図１】
0003214131.tif 000003
【図２】
0003214131.tif 000004
【図３】
0003214131.tif 000005
【図４】
0003214131.tif 000006
【図５】
0003214131.tif 000007
【図６】
0003214131.tif 000008
【図７】
0003214131.tif 000009